(57)【要約】【課題】名前の表示部分を保護しつつ、ワッペンのデザイン性を損なわず、また、表示の意外性を高めることができるようにしたワッペンの提供。【解決手段】基層１１と、この基層１１の表面に設けられた表面層３１との少なくとも２層を備え、基層１１の表面には名前などの文字を記入することができる記入部２２が設けられ、表面層３１にはこの記入部２２を保護することができる保護手段が設けられたものであることを特徴とする名前を記入できるワッペンを提供する。この構成により、記入部２２を表面層３１によって保護して、その損傷を防止することができる。【選択図】          図１
0003109002.tif 000002
【実用新案登録請求の範囲】
【請求項１】
衣服などの身の回り品の被固定部に取り付けられるワッペンにおいて、このワッペンが基層と、この基層の表面に設けられた表面層との少なくとも２層を備え、基層の表面には名前などの文字を記入することができる記入部が設けられ、表面層にはこの記入部を保護することができる保護手段が設けられたものであることを特徴とする名前を記入できるワッペン。
【請求項２】
表面層の面積は基層の面積以下のものであり、表面層の表面に刺繍が施されることによりワッペン表面の装飾がなされたものであり、
さらにこの表面層は、固定部と剥離部とが境界部分を介して回動可能に隣接するものであり、固定部は記入部に対して剥離不能に固定されたものであり、剥離部は記入部の表面に重ねられると共に、記入部に対して剥離可能となっており、
剥離部は記入部の表面に重ねることにより、記入部を隠蔽して保護することができる保護手段となり、剥離部を捲ることによって記入部が現れるものであることを特徴とする請求項１記載の名前を記入できるワッペン。
【請求項３】
基層はフエルト等の不織布製の基層本体と、この基層本体の表面の一部に設けられた記入層とを備え、この記入層は基層本体及び表面層の両者よりも厚みの小さな織布で構成されると共に、この記入層の表面に上記の記入部が設けられたものであり、
記入層は表面層より平面積が小さく、表面層よりはみ出すことなく表面層の裏面側に配位されたものであり、
表面層は記入層より厚みの大きなフエルト等の不織布製で構成され、
基層本体は表面層よりも平面積が大きく、この基層本体がワッペン全体の外周を規定するものであり、この基層本体の裏面側には感熱接着剤層が設けられることにより、アイロンなどの熱によって衣服に接着可能であり、
表面層は平面積が基層本体よりも小さく形成され、少なくとも剥離部の周縁から基層本体がはみ出しているものであり、表面層と基層本体の両者に刺繍が施されることにより、ワッペン表面の装飾がなされたものであることを特徴とする請求項２記載の名前を記入できるワッペン。
【請求項４】
基層はフエルト等の不織布製の基層本体と、この基層本体の表面の少なくとも一部に設けられた記入層とを備え、この記入層は基層本体及び表面層の両者よりも厚みの小さな織布で構成されると共に、この記入層の表面に名前等の文字の記入部が設けられたものであり、
表面層の中央には表裏に貫通した開口部が設けられ、この開口部は記入部と位置合わせして配位され、
表面層が記入層の全周縁よりも一段高く形成されることにより、記入部が表面層にて保護されたものであることを特徴とする請求項１記載の名前を記入できるワッペン。
【請求項５】
基層本体と表面層とは略同じ平面大きさの同じ形状であり、この基層本体がワッペン全体の外周を規定するものであり、この基層本体の裏面側には感熱接着剤層が設けられることにより、アイロンなどの熱によって衣服に接着可能であり、
表面層の開口部と同じ大きさ形状の装着体が、開口部に着脱可能に配位され、
この装着体は、表面層から開口部を打ち抜いて形成されたものであり、この打ち抜かれた装着体を開口部に装着した状態でアイロンをかけることによって感熱接着剤層を衣服に接着させるようにしたことを特徴とする名前を記入できる請求項４記載のワッペン。
【考案の詳細な説明】
【技術分野】
【０００１】
本願考案は、ワッペン、特に名前を記入できるワッペンに関するものである。
【背景技術】
【０００２】
従来より、ワッペンに名前を記入して、所有者の表示を行うことが知られている。ところが、ワッペンに記入した名前は傷つきやすく見えなくなってしまうことが多い。たとえば、特許文献１の段落番号０００２には、「一般に、ゴム長靴、シューズ、鞄等の装身物に取着して、同装身物が自己の所有物であることを表示するワッペンが知られている。この様なワッペンとしては、例えば特公平５−４０８１号公報に開示されているような、表面に名前等を記入するワッペンがある。ところが、このワッペンはその表面に名前等を記入することから、その記入箇所が外部に露出している。このため、記入した内容が装身物の経年使用によって損傷を受けてしまい外部から視認することができなくなるという不都合があった。」との指摘がなされている。
【特許文献１】特開２００１−２２５５９９号公報
【考案の開示】
【考案が解決しようとする課題】
【０００３】
本願考案は、名前の表示部分を損傷しにくくしたワッペンの提供を目的とする。特に本願考案は表示部分を保護しつつ、ワッペンのデザイン性を損なわず、また、表示の意外性を高めることができるようにしたワッペンの提供を目的とする。本願考案の他の目的は、名前の表示部分を損傷しにくくすると同時にアイロンを用いて確実に衣服などに接着固定できるようにしたワッペンの提供を目的とする。
【課題を解決するための手段】
【０００４】
そこで、本願の請求項１記載の考案は、衣服などの身の回り品の被固定部に取り付けられるワッペンにおいて、このワッペンが基層１１、５１と、この基層１１、５１の表面に設けられた表面層３１、８１との少なくとも２層を備え、基層１１、５１の表面には名前などの文字を記入することができる記入部２２、６２が設けられ、表面層３１、８１にはこの記入部２２、６２を保護することができる保護手段が設けられたものであることを特徴とする名前を記入できるワッペンを提供することにより、上記の課題を解決する。
【０００５】
また、本願の請求項２に係る考案は、表面層３１の面積は基層１１の面積以下のものであり、表面層３１の表面に刺繍が施されることによりワッペン表面の装飾がなされたものであり、さらにこの表面層３１は、固定部３２と剥離部３３とが境界部分３４を介して回動可能に隣接するものであり、固定部３２は記入部２２に対して剥離不能に固定されたものであり、剥離部３３は記入部２２の表面に重ねられると共に、記入部２２に対して剥離可能となっており、剥離部３３は記入部２２の表面に重ねることにより記入部２２を隠蔽して保護することができる保護手段となり、剥離部３３を捲ることによって記入部２２が現れるものであることを特徴とする請求項１記載の名前を記入できるワッペンを提供する。
【０００６】
また、本願の請求項３に係る考案は、基層１１はフエルト等の不織布製の基層本体１２と、この基層本体１２の表面の一部に設けられた記入層２１とを備え、この記入層２１は基層本体１２及び表面層３１の両者よりも厚みの小さな織布で構成されると共に、この記入層２１の表面に上記の記入部２２が設けられたものであり、記入層２１は表面層３１より平面積が小さく、表面層３１よりはみ出すことなく表面層３１の裏面側に配位されたものであり、表面層３１は記入層２１より厚みの大きなフエルト等の不織布製で構成され、基層本体１２は表面層３１及び基層１１よりも平面積が大きく、この基層本体１２がワッペン全体の外周を規定するものであり、この基層本体１２の裏面側には感熱接着剤層１３が設けられることにより、アイロンなどの熱によって衣服に接着可能であり、表面層３１は平面積が基層本体１２よりも小さく形成され、少なくとも剥離部３３の周縁から基層本体１２がはみ出しているものであり、表面層３１と基層本体１２の両者に刺繍が施されることにより、ワッペン表面の装飾がなされたものであることを特徴とする請求項２記載の名前を記入できるワッペンを提供する。
【０００７】
また、本願の請求項４に係る考案は、基層５１はフエルト等の不織布製の基層本体５２と、この基層本体５２の表面の少なくとも一部に設けられた記入層６１とを備え、この記入層６１は基層本体５２及び表面層８１の両者よりも厚みの小さな織布で構成されると共に、この記入層６１の表面に名前等の文字の記入部６２が設けられたものであり、表面層８１の中央には表裏を貫いて開口部８２が設けられ、この開口部８２は記入部６２と位置合わせして配位され、表面層８１が記入層６１の全周縁よりも一段高く形成されることにより、記入部６２が表面にて保護されたものであることを特徴とする請求項１記載の名前を記入できるワッペンを提供する。
【０００８】
また、本願の請求項５に係る考案は、基層本体５２は表面層８１とは略同じ平面大きさの同じ形状であり、この基層本体５２がワッペン全体の外周を規定するものであり、この基層本体５２の裏面側には感熱接着剤層５３が設けられることにより、アイロンなどの熱によって衣服に接着可能であり、表面層８１の開口部８２と同じ大きさ形状の装着体７１が、開口部８２に着脱可能に配位され、この装着体７１は、表面層８１から開口部８２を打ち抜いて形成されたものであり、この打ち抜かれた装着体７１を開口部８２に装着した状態でアイロンをかけることによって感熱接着剤層５３を衣服に接着させるようにしたことを特徴とする請求項４記載の名前を記入できるワッペンを提供する。
【考案の効果】
【０００９】
本願の請求項１に係るワッペンは、表面層３１、８１に記入部２２、６２を保護することができる保護手段が設けられたものであるため、記入部２２、６２を表面層３１、８１によって保護して、その損傷を防止することができるものである。
【００１０】
本願の請求項２に係るワッペンは、表面層３１の表面に刺繍が施されることによりワッペン表面の装飾がなされたものであり、ワッペンの装飾効果を表面層３１が主として発揮する。
さらにこの表面層３１は、固定部３２と剥離部３３とが境界部分３４を介して回動可能に隣接するものであり、固定部３２は表面層３１に対して剥離不能に固定されたものであり、剥離部３３は記入部２２の表面に重ねられると共に、記入部２２に対して剥離可能となっているものであり、剥離部３３は記入部２２の表面に重ねることにより記入部２２を隠蔽して保護することができる保護手段となる。即ち、常時は剥離部３３によって記入部２２を隠すことによって、記入部２２の汚れを防止すると同時に、ワッペンの装飾の効果を発揮させることができる。他方、名前などを見たい場合には、剥離部３３を捲ることによって記入部２２が現れ、名前を簡単に確認できる。また、ワッペンの一部である剥離部３３を捲ることによって名前が現れるという意外性や面白みを、使用する者や見る者に与えることができる。
【００１１】
本願の請求項３に係るワッペンは、基層１１と表面層３１とはフエルトにて布製ワッペン特有の柔らかさを維持しつつ、記入層２１には木綿製などの織布を用いて名前の記入を簡単に行い得るようにしたものである。
この記入層２１は表面層３１より表面積が小さく、表面層３１よりはみ出すことなく表面層３１の裏面側に配位されたものであるため、普段は表面層３１に隠され、保護されるものである。基層本体１２は表面層３１及び基層１１よりも平面積が大きく、この基層本体１２がワッペン全体の外周を規定するものであり、この基層本体１２の裏面側には感熱接着剤層１３が設けられることにより、アイロンなどを用いることによって、簡単に全体が被固定部に接着できる。
しかも、表面層３１は平面積が基層本体１２よりも小さく形成され、少なくとも剥離部３３の周縁から基層本体１２がはみ出しているものであり、表面層３１と基層本体１２の両者に刺繍が施されることによりワッペン表面の装飾がなされたものであるため、表面層３１と基層本体１２がワッペンの装飾として働き、しかも、両層１１、３１によって、装飾に立体感をもたらすことができる。
【００１２】
本願の請求項４に係る考案は、基層５１はフエルト等の不織布製の基層本体５２と、この基層本体５２の表面の少なくとも一部に設けられた記入層６１とを備え、この記入層６１は基層本体５２及び表面層８１の両者よりも厚みの小さな織布で構成されると共に、この記入層６１の表面に名前等の文字の記入部６２が設けられたものであり、フエルトにて布製ワッペン特有の柔らかさを維持しつつ、記入層６１には木綿製などの織布を用いて名前の記入を簡単に行い得るようにしたものである。
表面層８１の中央には表裏を貫いて開口部８２が設けられ、この開口部８２は記入部６２と位置合わせして配位されているため、記入部６２は、常時ワッペン表面に表れる。ところが、表面層８１が記入層６１の全周縁よりも一段高く形成されることにより、記入部６２が表面にて保護されるものである。例えば、このワッペンを着けた者が鉄棒などをする場合に、ワッペンに鉄棒が当たって擦られた場合でも、表面層８１によって囲まれた記入部６２に直接鉄棒が当たることはなく、記入部６２に記入された名前が汚れたり、記入部６２が破れたりしてしまうことを防止できる。
【００１３】
本願の請求項５に係る考案は、基層本体５２は表面層８１とは略同じ平面大きさの同じ形状であり、この基層本体５２がワッペン全体の外周を規定するものであり、この基層本体５２の裏面側には感熱接着剤層５３が設けられることにより、アイロンなどを用いることによって、簡単に全体が被固定部に接着できる。
また、表面層８１の開口部８２と同じ大きさ形状の装着体７１が、開口部８２に着脱可能に配位され、この装着体７１は、表面層８１から開口部８２を打ち抜いて形成されたものであり、この打ち抜かれた装着体７１を開口部８２に装着した状態でアイロンをかけることができる。これにより、アイロンがけによって基層５１を被固定部に接着する際、開口部８２を装着体７１で覆って段差のない状態とできるため、感熱接着剤層５３の加熱ムラが発生しにくく、被固定部に対して、ワッペンを確実に接着することができる。
【考案を実施するための最良の形態】
【００１４】
以下、図面に基づき本願考案の実施の形態を説明する。
図１は、実施例１に係るワッペンを示す図であり、図２〜図６は、実施例１に係るワッペンの、実施のバリエーションを示す図である。図７は、実施例２に係るワッペンを示す図であり、図８〜図１３は、実施例２に係るワッペンの、実施のバリエーションを示す図である。
【実施例１】
【００１５】
本願考案に係る、名前を記入できるワッペンは、装飾効果を高めるために、衣服やバッグなどの身の回り品の表面などに取り付けられるものである。まず、実施例１について説明する。
本実施例に係るワッペンは、図１（Ｃ）に示すように、基層１１と、この基層１１の表面に設けられ、基層１１の表面の少なくとも一部を隠蔽可能な表面層３１との少なくとも２層を備えたものである。
【００１６】
基層１１は、表面に、刺繍２３〜２６が施されることにより装飾がなされている。また、表面に、名前などの文字を記入することができる記入部２２が設けられている。この基層１１は、フエルト等の不織布製の基層本体１２と、この基層本体１２の表面の一部に設けられた記入層２１とを備え、上記の刺繍２３〜２６は、この基層本体１２の表面に施されている。
【００１７】
記入層２１は、本実施例においては、基層本体１２及び表面層３１の両者よりも厚みの小さな、木綿製などの織布で構成されると共に、この記入層２１の表面に上記の記入部２２が設けられたものである。上記織布には、油性ペンのインクに対するにじみ防止加工を施しておくことが望ましい。また、記入層２１は表面層３１より表面積が小さく、表面層３１よりはみ出すことなく表面層３１の裏面側に配位されたものである。つまり、本実施例における記入部２２は、表面層３１によって完全に隠蔽可能とされている。
記入部２２には、氏名を記入するための余白や罫線が設けられる。また、「なまえ」「氏名」「ＮＡＭＥ」などの記載や、縁取り、ワンポイント、キャラクターなど、種々の記載をすることが可能である。これらの記載については、印刷、刺繍、染色などの種々の手段により実施できる。記入部２２の色彩は、通常油性ペンにて記入される氏名が読み取り易い、明度の高いものが望ましく、白色以外に、種々の色彩で実施し得る。
【００１８】
基層１１として用いられる材料は、本実施例のように不織布に限られたものではなく、織布、皮革、合成樹脂など、種々の材料が利用できる。また、本実施例においては、上記のように、基層本体１２と記入層２１とは別個の部材として形成されたものとしているが、基層本体１２自体の表面を記入部２２としても良い。つまり、基層本体１２と記入層２１とを同一のものとして形成しても良い。
【００１９】
基層本体１２は、表面層３１よりも平面積が大きく、この基層本体１２がワッペン全体の外周を規定するものである。本実施例では、図１（Ａ）に示すように、バスを模した外周形状とされているが、図２〜６に示すように、円形や多角形、キャラクターなどを模した形状とするなど、種々の外周形状にて実施できる。
この基層本体１２の裏面側には感熱接着剤層１３が設けられることにより、アイロンなどの熱によって衣服などの身の回り品の被固定部に接着可能とされている。本実施例における感熱接着剤層１３としてはポリオレフィン系樹脂が用いられているが、加熱により接着性を発揮するものであれば、他の樹脂など、種々の材料を用いて良い。
【００２０】
表面層３１の面積は基層１１の面積以下のものである。表面層３１の表面には、刺繍３５、３６が施されることによりワッペン表面の装飾がなされている。この刺繍３５、３６は、基層１１の表面に設けられた刺繍２３〜２６と一体性を有するデザインとされている。表面層３１は、上記の記入層２１より厚みの大きなフエルト等の不織布製で構成されている。上記の基層１１と共に、表面層３１が不織布製とされたことにより、本実施例に係るワッペンは布製ワッペン特有の柔らかさを有するものとされている。
表面層３１は、上記のように平面積が基層本体１２よりも小さく形成され、少なくとも剥離部３３の周縁から基層本体１２がはみ出しているものであり、表面層３１と基層本体１２の両者に刺繍が施されることによりワッペン表面の装飾がなされたものである。これにより、表面層３１に施された刺繍３５、３６と、基層本体１２に施された刺繍２３〜２６とが共にワッペンの装飾として働き、しかも、両層１１、３１によって、装飾に立体感をもたらすことができる。
【００２１】
この表面層３１は、固定部３２と剥離部３３とが境界部分３４を介して回動可能に隣接するものとされている。固定部３２は記入部２２に対して剥離不能に固定されたものである。上記の固定は、縫合によるものや接着によるものなど、種々の手段により実施可能である。一方、剥離部３３は記入部２２の表面に重ねられると共に、記入部２２に対して、上記のように固定がなされておらず、剥離可能となっている。これにより、剥離部３３は記入部２２の表面に重ねることにより記入部２２を隠蔽して保護することができる保護手段となり、剥離部３３を捲ることによって記入部２２が現れるものである。つまり、常時は剥離部３３で記入部２２を隠すことによって、記入部２２の汚れを防止すると同時に、ワッペンの装飾の効果を発揮させることができる。他方、記入部２２に記入された名前などを見たい場合には、剥離部３３を捲ることによって記入部２２が現れ、名前を簡単に確認できる。また、剥離部３３を捲ることによって名前が現れるという意外性や面白みを、使用する者や見る者に与えることができる。
なお、表面層３１における、固定部３２と剥離部３３との面積比率、つまり境界部分３４を形成する位置は、図２〜図６に示すように、種々に変更して実施し得る。
【００２２】
なお、本実施例においては、剥離部３３の周囲に突出するようにして、舌状の持手片３７が設けられており、この持手片３７を指先でつまむことによって、容易に剥離部３３を捲ることができる。この持手片３７の形状については、本実施例におけるように、略半円形状のものや、図３や図５に示すように、キャラクターの外形のうち、突出した部分を利用したものであっても良い。
また、図示はしないが、剥離部３３と記入部２２との間に一時固定手段を設けておき、剥離部３３を上記のように捲る際以外には、剥離部３３と記入部２２とが固定され、剥離不能とされたものとしても良い。この一時固定手段としては、ホック、スナップ、面ファスナーが例示できるがその他の手段によっても良い。
【実施例２】
【００２３】
次に、本願考案の実施例２に係る、名前を記入できるワッペンについて説明する。
本実施例に係るワッペンは、図７（Ｃ）に示すように、基層５１と、この基層５１の表面に設けられた表面層８１との少なくとも２層を備えたものである。
【００２４】
基層５１の表面には、図７（Ａ）に示すように、名前などの文字を記入することができる記入部６２が設けられる。  基層５１はフエルト等の不織布製の基層本体５２と、この基層本体５２の表面の少なくとも一部に設けられた記入層６１とを備える。この記入層６１は、基層本体５２及び表面層８１の両者よりも厚みの小さな織布で構成されると共に、この記入層６１の表面に名前等の文字の記入部６２が設けられたものである。
基層５１として用いられる材料は、本実施例のように不織布に限られるものではなく、織布、皮革、合成樹脂など、種々の材料が利用できる。
【００２５】
基層本体５２は、ワッペン全体の外周を規定するものである。この基層本体５２の裏面側には、上記の実施例１に係るワッペンと同様、感熱接着剤層５３が設けられることにより、アイロンなどの熱によって衣服などの身の回り品の被固定部に接着可能とされている。
【００２６】
表面層８１は、基層本体５２と略同じ平面大きさの同じ形状とされたものであり、基層本体５２と同様、フエルト等の不織布製で構成されている。よって、本実施例に係るワッペンも第１実施例と同様、布製ワッペン特有の柔らかさを有するものとされている。本実施例では、図７（Ａ）に示すように、円形状の外周形状とされているが、図８〜１３に示すように、多角形やキャラクターなどを模した形状とするなど、種々の外周形状にて実施できる。また、実施例１と同様、表面に刺繍などを施しても良い。
【００２７】
表面層８１の中央には表裏を貫いて開口部８２が設けられている。なお、本願考案で言う「中央」とは、開口部８２の全周が表面層８１に囲まれている状態を言い、必ずしも、表面層８１の平面形状における幾何学上の図心に開口部８２が存在していることが条件とされるものではない。
開口部８２は、図７（Ｃ）に示すように、上記の記入部６２と位置合わせして配位され、表面層８１が、その厚み分、記入部６２の全周縁よりも一段高く形成されることにより、記入部６２が表面にて保護されたものである。本実施例においては、この一段高く形成された構成が即ち保護手段となる。
【００２８】
つまり、この開口部８２は記入部６２と位置合わせして配位されているため、記入部６２は、常時ワッペン表面に表れている。しかし、上記のように、表面層８１が記入部６２の全周縁よりも一段高く形成されていることにより、たとえば、鉄棒などをする場合に、ワッペンに鉄棒が当たって擦られた場合でも、表面層８１によって囲まれた記入部６２に直接鉄棒が当たることはなく、その名前が汚れたり記入部６２が破れたりしてしまうことを防止できる。
【００２９】
ここで、上記の構成に加え、上記の開口部８２と同じ大きさ形状である装着体７１が、開口部８２に着脱可能に配位されたものとしても良い。この装着体７１は、表面層８１から開口部８２が打ち抜かれた際に、同時に形成されたものであり、この打ち抜かれた装着体７１を開口部８２に装着した状態でアイロンをかけることによって感熱接着剤層５３を衣服に接着させるようにできる。つまり、上記のように、開口部８２は、表面層８１の表面より一段低い位置に記入部６２が存在しているため、そのままアイロンをかけようとしても、この記入部６２に直接アイロンを当てることができないため、記入部６２に相当する部分の感熱接着剤層５３において、加熱ムラが発生し、ワッペンと衣服などの被接着面との間の接着が甘くなってしまう恐れがあった。これに対し、図７（Ｃ）に示すように、開口部８２に装着体７１をはめ込むことにより、表面層８１の表面と装着体７１の表面とを段差のない状態とできるため、身の回り品ｈに対するアイロンがけがスムーズにでき、上記のような加熱ムラが発生しにくく、ワッペンを確実に接着することができる。
なお、この装着体７１は、ワッペンを取り付ける際にのみ使用するものであるため、使用後は廃棄して良い。
【図面の簡単な説明】
【００３０】
【図１】本願考案の実施例１に係るワッペンの構成を示し、（Ａ）は記入部が剥離部によって隠蔽された状態を示す平面図であり、（Ｂ）は剥離部を捲った状態を示す平面図であり、（Ｃ）は（Ａ）のＡ−Ａ断面図であり、（Ｄ）は背面図である。
【図２】実施例１に係るワッペンの、実施のバリエーションの一つを示し、（Ａ）は記入部が剥離部によって隠蔽された状態を示す平面図であり、（Ｂ）は剥離部を捲った状態を示す平面図であり、（Ｃ）は背面図である。
【図３】実施例１に係るワッペンの、実施のバリエーションの一つを示し、（Ａ）は記入部が剥離部によって隠蔽された状態を示す平面図であり、（Ｂ）は剥離部を捲った状態を示す平面図であり、（Ｃ）は背面図である。
【図４】実施例１に係るワッペンの、実施のバリエーションの一つを示し、（Ａ）は記入部が剥離部によって隠蔽された状態を示す平面図であり、（Ｂ）は剥離部を捲った状態を示す平面図であり、（Ｃ）は背面図である。
【図５】実施例１に係るワッペンの、実施のバリエーションの一つを示し、（Ａ）は記入部が剥離部によって隠蔽された状態を示す平面図であり、（Ｂ）は剥離部を捲った状態を示す平面図であり、（Ｃ）は背面図である。
【図６】実施例１に係るワッペンの、実施のバリエーションの一つを示し、（Ａ）は記入部が剥離部によって隠蔽された状態を示す平面図であり、（Ｂ）は剥離部を捲った状態を示す平面図であり、（Ｃ）は背面図である。
【図７】本願考案の実施例２に係るワッペンの構成を示し、（Ａ）は表面側を示す斜視図であり、（Ｂ）は背面図であり、（Ｃ）は使用状態を示す（Ａ）のＣ−Ｃ断面における参考図である。
【図８】実施例２に係るワッペンの、実施のバリエーションの一つを示し、（Ａ）は平面図であり、（Ｂ）は背面図である。
【図９】実施例２に係るワッペンの、実施のバリエーションの一つを示し、（Ａ）は平面図であり、（Ｂ）は背面図である。
【図１０】実施例２に係るワッペンの、実施のバリエーションの一つを示し、（Ａ）は平面図であり、（Ｂ）は背面図である。
【図１１】実施例２に係るワッペンの、実施のバリエーションの一つを示し、（Ａ）は平面図であり、（Ｂ）は背面図である。
【図１２】実施例２に係るワッペンの、実施のバリエーションの一つを示し、（Ａ）は平面図であり、（Ｂ）は背面図である。
【図１３】実施例２に係るワッペンの、実施のバリエーションの一つを示し、（Ａ）は平面図であり、（Ｂ）は背面図である。
【符号の説明】
【００３１】
１１  基層
１２  基層本体
１３  感熱接着剤層
２１  記入層
２２  記入部
３１  表面層
３２  固定部
３３  剥離部
３４  境界部分
５１  基層
５２  基層本体
５３  感熱接着剤層
６１  記入層
６２  記入部
８１  表面層
８２  開口部
７１  装着体
【図１】
0003109002.tif 000003
【図２】
0003109002.tif 000004
【図３】
0003109002.tif 000005
【図４】
0003109002.tif 000006
【図５】
0003109002.tif 000007
【図６】
0003109002.tif 000008
【図７】
0003109002.tif 000009
【図８】
0003109002.tif 000010
【図９】
0003109002.tif 000011
【図１０】
0003109002.tif 000012
【図１１】
0003109002.tif 000013
【図１２】
0003109002.tif 000014
【図１３】
0003109002.tif 000015